【手続補正書】
【提出日】平成24年3月15日(2012.3.15)
【手続補正１】
【補正対象書類名】特許請求の範囲
【補正対象項目名】全文
【補正方法】変更
【補正の内容】
【特許請求の範囲】
【請求項１】
プローブ軸接合アセンブリにプローブを取り付けるコネクタシステムであって、
コネクタボディ、前記コネクタボディ内に設けられるプランジャチャンバ、前記プランジャチャンバ内に配置されるバネ、前記プランジャチャンバから前記コネクタボディを通り、前記コネクタボディの外面まで延びる固定ボールチャンネル、前記固定ボールチャンネル内に配置される固定ボール、及び前記プランジャチャンバ内で前記バネに隣接して配置されるプランジャを含み、前記固定ボールが、前記プランジャの外面と接触しているプローブ軸接合アセンブリと、
プローブボディ、前記プローブボディのプローブ軸対面端に設けられるプローブ軸チャンバ、及び前記プローブボディ内で、前記プローブ軸チャンバに隣接して設けられる固定ボール収容部を含むプローブと、
少なくとも部分的に前記プローブを通って延びるキー溝であって、前記キー溝は、前記プローブ及び前記プローブ軸接合アセンブリが連結されるときに、細長い物体が前記プランジャに接触するための進入路を提供する、キー溝と、
プローブヘッドチャンバ内に配置されるパッキン押えであって、前記プローブヘッドチャンバが、前記キー溝の先端方向端部と、前記プローブヘッドチャンバから前記プローブの先端方向端部まで延びるプローブ頭部との間に配置され、前記パッキン押えは、前記キー溝に対する防水シールを提供する一方で、前記細長い物体が前記パッキン押えを通って延びることを許容する、複数の圧縮された弾性部材で構成される、前記パッキン押えと、
を含み、
前記プローブ軸チャンバの直径が、前記プローブ軸接合アセンブリの直径よりも大きいことで、前記プランジャ及び前記バネが、第１位置から第２位置に移動すると、前記固定ボールは、前記コネクタボディの外面の下方で、前記プランジャチャンバに向かって内側に移動して、前記プローブ軸接合アセンブリのプローブ対面端は、前記プローブ軸チャンバに進入することができ、前記プランジャ及びバネが、前記第２位置から前記第１位置に移動すると、前記固定ボールは、前記コネクタボディの表面に向かって移動し、前記コネクタボディの外面を超えて突出することで、前記固定ボールが、前記固定ボール収容部と係合して、前記プローブ軸接合アセンブリに前記プローブを固定する、コネクタシステム。
【請求項２】
前記プランジャの外面は、前記プランジャが前記第１位置にあるときに、前記固定ボールが、前記プランジャの直径の大きい部分と接触し、前記プランジャが前記第２位置にあるときに、前記固定ボールが、前記プランジャの直径の小さい部分と接触するように、階段状に形成される、請求項１に記載のコネクタシステム。
【請求項３】
前記プランジャの前記外面は、前記プランジャが前記第１位置にあるときに、前記固定ボールが、前記プランジャの直径の大きい部分と接触し、前記プランジャが前記第２位置にあるときに、前記固定ボールが、前記プランジャの直径の小さい部分と接触するように、勾配を付けて形成される、請求項１に記載のコネクタシステム。
【請求項４】
前記バネは、前記第１位置では圧縮されず、前記第２位置において圧縮される、請求項１に記載のコネクタシステム。
【請求項５】
前記コネクタボディのプローブ軸端部に配置されるＯリングを更に含み、前記Ｏリングは、前記プローブ軸接合アセンブリ及び前記プローブが連結位置にあるときに、前記プローブボディによって圧縮されて防水シールを提供する、請求項１に記載のコネクタシステム。
【請求項６】
前記コネクタボディに設けられるワイヤ管路と、前記プローブ軸接合アセンブリの前記プローブ対面端内に配置されるプローブワイヤコネクタとを更に含み、前記ワイヤ管路は、電気配線が、前記プローブ軸から前記プローブワイヤコネクタまで、前記プランジャチャンバ内に進入せずに移動する開口経路を含む、請求項１に記載のコネクタシステム。
【請求項７】
前記固定ボールチャンネルの直径は、前記コネクタボディの前記表面近くで小さくなる、請求項１に記載のコネクタシステム。
【請求項８】
前記固定ボール収容部は、前記プローブボディの内面を少なくとも部分的に取り囲む窪んだ溝を含む、請求項１に記載のコネクタシステム。
【請求項９】
前記固定ボール収容部は、前記プローブボディの内面に設けられる凹部を含む、請求項１に記載のコネクタシステム。
【請求項１０】
前記固定ボール収容部は、前記プローブボディ内にチャンネルを含む、請求項１に記載のコネクタシステム。
【請求項１１】
前記プローブ軸接合アセンブリの前記プローブ対面端内に配置されるプローブ軸ワイヤコネクタ、及び前記プローブの前記プローブ軸対面端内に配置されるプローブワイヤコネクタを更に含み、前記プローブ軸接合アセンブリが前記プローブと連結されたときに、前記プローブ軸ワイヤコネクタとプローブワイヤコネクタとが、前記プローブ軸接合アセンブリとプローブの間の電気接続を形成する、請求項１に記載のコネクタシステム。
【請求項１２】
プローブ軸接合アセンブリにプローブを取り付けるコネクタシステムであって、
コネクタボディ、前記コネクタボディ内に設けられるプランジャチャンバ、前記プランジャチャンバ内に配置されるバネ、前記プランジャチャンバから前記コネクタボディを通り、前記コネクタボディの外面まで延びる固定ボールチャンネル、前記固定ボールチャンネル内に配置される固定ボール、及び前記プランジャチャンバ内で前記バネに隣接して配置されるプランジャを含み、前記プランジャの前記外面は、前記プランジャが前記第１位置にあるときに前記固定ボールが前記プランジャの直径の大きい部分の外面と接触し、前記プランジャが前記第２位置にあるときに、前記固定ボールが、前記プランジャの直径の小さい部分の外面と接触するように階段状に形成される、プローブ軸接合アセンブリと、
プローブボディ、前記プローブボディのプローブ軸対面端部内に設けられるプローブ軸チャンバ、及び前記プローブボディ内で、前記プローブ軸チャンバに隣接して設けられる固定ボール収容部を含むプローブと、
少なくとも部分的に前記プローブを通って延びるキー溝であって、前記プローブ及び前記プローブ軸接合アセンブリが連結されるときに、細長い物体が前記プランジャに接触するための進入経路を提供するキー溝と、
プローブヘッドチャンバの中に配置されるパッキン押えであって、前記プローブヘッドチャンバは、前記キー溝の先端方向端部と、前記プローブヘッドチャンバから前記プローブの先端方向端部に延びるプローブ頭部チャンネルとの間に設けられ、前記パッキン押えは、複数の圧縮された弾性部材で構成されて、前記キー溝に対する防水シールを提供する一方で、前記細長い物体が当該パッキン押えを通って延びることを許容する、パッキン押えとを含み、
前記プローブ軸チャンバの直径が、前記プローブ軸接合アセンブリの直径よりも大きいことで、前記プランジャ及び前記バネが、第１位置から第２位置に移動すると、前記バネが圧縮されると共に、前記固定ボールが、前記コネクタボディの外面の下で、前記プランジャチャンバに向かって内側方向に移動して、前記プローブ軸接合アセンブリのプローブ対面端は、前記プローブ軸チャンバに進入することができ、前記プランジャ及びバネが、前記第２位置から前記第１位置に移動すると、前記バネは圧縮されず、前記固定ボールは、前記コネクタボディの表面に向かって移動し、前記コネクタボディの外面を超えて突出することで、前記固定ボールが、前記固定ボール収容部と係合して、前記プローブ軸接合アセンブリに前記プローブを固定する、コネクタシステム。